【事件の表示】
　特願２０１３−５２５１１１「複合ロッドレンズアレイにより構成された画像読取り装置」拒絶査定不服審判事件〔平成２４年　３月　１日国際公開、ＷＯ２０１２／０２４８７３、平成２５年１１月１４日国内公表、特表２０１３−５４１７２２、請求項の数（６）〕について、次のとおり審決する。
【結　論】
　原査定を取り消す。
　本願の発明は、特許すべきものとする。
【理　由】
第１　手続の経緯　
　本願は、２０１０年１２月１０日（パリ条約による優先権主張外国庁受理　２０１０年８月２４日　中国、２０１０年９月２８日　中国）を国際出願日とする出願であって、平成２６年２月２４日付けで拒絶理由が通知され、同年５月２９日に意見書が提出されるとともに手続補正がなされたが、平成２６年１１月２８日付けで拒絶査定（以下、「原査定」という）がなされ、これに対し、平成２７年４月３日に拒絶査定不服審判が請求されると同時に手続補正がなされ、その後、当審において平成２８年３月１日付けで拒絶理由（以下、「当審拒絶理由」という）が通知され、同年５月２０日に手続補正がなされたものである。
　
第２　本願発明
　本願の請求項１ないし６に係る発明は、平成２８年５月２０日になされた手続補正により補正された特許請求の範囲の請求項１ないし６に記載された事項により特定されるものと認められるところ、本願の請求項１ないし６に係る発明（以下、請求項１に係る発明を「本願発明」という。）は次のとおりである。
「　【請求項１】
　発光して、走査範囲内に原稿を均一に照らす光源と、原稿から反射されてきた反射光を電気信号に変換し外部に出力する線形アレイ画像センサーと、上記反射光をフォーカスして、上記線形アレイ画像センサーの表面にイメージングする複合ロッドレンズアレイと、を含む画像読取り装置であって、
　前記複合ロッドレンズアレイは、
　第１共役長さＴＣ１、第１高さＺ１及び第１直径Ф１を有する複数の第１のロッドレンズを少なくとも１つのアレイに配列することにより構成する第１のロッドレンズアレイと、
　第２共役長さＴＣ２、第２高さＺ２及び第２直径Ф２を有する複数の第２のロッドレンズを少なくとも１つのアレイに配列することにより構成する第２のロッドレンズアレイと、
　支持用の第１の側板及び支持用の第２の側板と、を含み、
　前記少なくとも１列の第１のロッドレンズアレイと前記少なくとも１列の第２のロッドレンズアレイが、支持用の上記第１の側板と支持用の上記第２の側板との間に挟まれ、
　前記第１のロッドレンズアレイの第１共役長さＴＣ１と、前記第２のロッドレンズアレイの第２共役長さＴＣ２とは一致せず、
　前記第１のロッドレンズアレイの焦点位置と前記第２のロッドレンズアレイの焦点位置との差が１ｍｍ以内であり、
　前記ロッドレンズアレイの表面に焦点位置調節装置が配置され、前記焦点位置調節装置が、ロッドレンズアレイの表面に配置された光透過性の調節体であり、
　前記焦点位置調節装置は、前記ロッドレンズアレイの長手方向に全領域をカバーし、前記ロッドレンズアレイの幅方向にＴＣ値が小さいもののみをカバーし、
　前記焦点位置調節装置は、前記ロッドレンズアレイの線形アレイ画像センサーに近い側の、焦点位置が前記線形アレイ画像センサーの表面に達していないレンズアレイの端面に配置されることを特徴とする画像読取り装置。
　　【請求項２】
　前記第１のロッドレンズアレイの高さＺ１と前記第２のロッドレンズアレイの高さＺ２とは一致せず、第１のロッドレンズアレイの直径Ф１と第２のロッドレンズアレイの直径Ф２とは一致しないことを特徴とする請求項１に記載の画像読取り装置。
　　【請求項３】
　前記複数の第１のロッドレンズアレイが第１の側板寄りに互いに近く配列され、前記複数の第２のロッドレンズアレイが第２の側板寄りに互いに近く配列されることを特徴とする請求項１又は２に記載の画像読取り装置。
　　【請求項４】
　前記複数の第１のロッドレンズアレイと前記複数の第２のロッドレンズアレイとは交差して配列することを特徴とする請求項１又は２に記載の画像読取り装置。
　　【請求項５】
　前記複数の第１のロッドレンズアレイが互いに近く配列し、前記複数の第２のロッドレンズアレイが、第１のロッドレンズアレイの両側にて、前記第１の側板及び第２の側板にそれぞれ近く配列することを特徴とする請求項１又は２に記載の画像読取り装置。
　　【請求項６】
　前記ロッドレンズアレイの原稿に近い側のレンズアレイの表面にも前記ロッドレンズアレイの幅方向にＴＣ値が大きいもののみをカバーするように前記焦点位置調節装置を配置し、２種類のレンズアレイの焦点位置を原稿のフローティング範囲の両側近くに位置させるようにすることを特徴とする請求項１に記載の画像読取り装置。」
　
第３　原査定の理由について
１．原査定の理由の概要
　この出願の請求項７に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　　記
　
引用文献１：特開平１１−２６１７６３号公報
引用文献２：特開平１０−１３３００３号公報
引用文献３：特開平１１−２３４４７４号公報
引用文献４：特開昭６３−７８６６３号公報
　
　引用文献１又は２には、ロッドレンズの表面にさらに焦点位置を調整する装置を設けることについて明示の記載はない。
　しかしながら、引用文献３には、ロッドレンズの画像センサー側の表面に焦点位置を調整する透明平行板３１を備えることが記載され（段落【００１５】〜【００２３】及び図４等参照）、また、引用文献４にも同様の透明の平行板を設けることが記載されており（第３頁右上欄第７行目〜右下欄５行目及び第１図等参照）、焦点距離を調整する手段をロッドレンズアレイの一方の面に設けることは周知の事項である。
　よって、引用文献１又は２のロッドレンズについてその焦点距離を調整するための方法として引用文献３及び４に記載されたような周知の手段を採用することに格別の困難性はない。
　
２．原査定の理由についての当審の判断
（１）引用文献１の記載事項
ア　引用文献１には、次の（ア）ないし（エ）の事項が記載されている。
（ア）「【００１０】
【課題を解決するための手段】上記課題を解決するために
１の手段として
原稿面を照射する照明手段、前記照射された原稿面からの反射光を結像する集光手段、前記結像された光を受光して光電変換する受光手段を備えた画像読取装置
前記集光手段は互いに焦点距離の異なるすくなくとも２種類の焦点距離を有する複数のレンズを配置して構成され
【００１１】上記課題を解決するための
第２の手段として
前記第１の手段において、前記受光手段において略同一面にそれぞれの焦点が一致するように前記複数のレンズが配置され
【００１２】上記課題を解決するための
第３の手段として
前記第１の手段又は第２の手段において、前記集光手段における焦点距離の異なるレンズは光軸に直交する方向に屈折率の変化するロッドレンズであり、光軸方向に互いにずれた位置に配置され
【００１３】上記課題を解決するための
第４の手段として
前記第１の手段乃至第３の手段のいずれかの前記集光手段おいて、レンズを複数列に配列し、互いに焦点距離の異なるレンズを異なる列に配列し
【００１４】上記課題を解決するための
第５の手段として
前記第１の手段乃至第４の手段のいずれかの前記集光手段おいて、隣り合うレンズ同士が互いに焦点距離が異なるレンズとなるようにレンズが配列され
　
（イ）「【００１７】
レンズアレイ２６は
図２に示すように、前記原稿面の読み取りラインに平行な方向に焦点距離ＴＣが互いに異なる２種類のロッドレンズすなわち第１ロッドレンズ３６ａと第２ロッドレンズ３６ｂが交互に配列されてなり、保持枠３７により保持されている
【００１８】
第１ロッドレンズ３６ａおよび第２ロッドレンズ３６ｂは共に
光軸に直交する方向に屈折率分布を持った透光材よりなっており、第１ロッドレンズ３６ａの焦点距離ＴＣ１と第２ロッドレンズ３６ｂの焦点距離ＴＣ２の間にはＴＣ１＜ＴＣ２の関係がある
図２に示すように第１ロッドレンズ３６ａの透明板２７側の焦点Ａ１の位置する第１焦点面Ｓａは、第２ロッドレンズ３６ｂの透明板２７側の焦点Ａ２の位置する第２焦点面Ｓｂａよりオフセット量ｄｃ＝ＴＣ２ーＴＣ１の距離だけ後方に位置し、第１ロッドレンズ３６ａの受光素子アレイ２４側の焦点Ｂ１と第２ロッドレンズ３６ｂの受光素子アレイ２４側の焦点Ｂ２とは共に前記センサ面Ｓに位置するように、第１ロッドレンズ３６ａと第２ロッドレンズ３６ｂは光軸方向にも互いにずれて配置されている
　
（ウ）「【００２９】以下図面に基づいて本発明の好適な実施の形態の他の一つである画像読取装置の実施例について説明する。図８は本実施例に係る画像読取装置の構成を示す図であり、（ａ）は断面図、（ｂ）は上面図である。（ｂ）においては原稿２９と透明板２７の表示は省いてある。図８に示すように、本例の密着型の
画像読取装置は光電変換を行うセンサ画素が複数配列された原稿読取受光素子２１と、保護膜２２と、これが実装された基板２３とからなる成る受光素子アレイ２４と、原稿を照射する線状光源であるＬＥＤアレイ２５と、原稿２９の像を受光部である前記受光素子アレイ２４に結像するレンズアレイ２６と、レンズアレイ２６を保持する支持枠３７と原稿２９を載置する透明板２７と、これらの部材を支持する外装ケース２８より構成されている
【００３０】ここで、
レンズアレイ２６は
前記ＬＥＤアレイ２５に照射される原稿面の読み取りラインＬに平行な方向に、焦点距離ＴＣが互いに異なる２種類のロッドレンズすなわち第１ロッドレンズ３６ａと第２ロッドレンズ３６ｂがそれぞれ列に分かれて２列に配列されてなり、保持枠３７により保持され
第１ロッドレンズ３６ａおよび第２ロッドレンズ３６ｂは個々には図２に示したものと同様であり、これらの光軸方向における位置関係も図２に示したものと同様
【００３１】第１ロッドレンズ３６ａと第２ロッドレンズ３６ｂの平面的な配列について説明すると、図８（ｂ）に示すように、第１ロッドレンズ３６ａ同士は互いに接触または近接して読み取りラインＬと平行に一方の列に配列され、第２ロッドレンズ３６ｂ同士も互いに接触または近接して前記の読み取りラインＢに平行に他方の列に配列されている。そして、隣り合う２個の第１ロッドレンズ３６ａに対して共通に１個の第２ロッドレンズ３６ｂが接触又は近接し、隣り合う２個の第２ロッドレンズ３６ｂに対して共通に１個の第１ロッドレンズ３６ｂが接触又は近接するように、互いに半ピッチずつずれて配列されている。第１ロッドレンズ３６ａの中心軸３６ａｃ軸と第２ロッドレンズ３６ｂの中心軸３６ｂｃにより軸に垂直な面において、正三角形又形又は略正三角形が構成される。
【００３２】前記中心軸３６ａｃと３６ｂｃを共に含む断面の断面図（図８（ｂ）のＡーＡ断面図）は図示を省くが、図４に示したものと同様である。従って、本実施例のレンズアレイ２６の集光作用の原理は図１に示した実施例におけるレンズアレイ２６の集光作用と基本的には同様であり、２焦点レンズ系が構成されることにより、センサ面での結像のぼけ（前記実効的なぼけ）を減少させる効果を有する。ただし、本例の場合は、読み取りラインＬ上の任意に１点に対応する３個のロッドレンズ（２個の第１ロッドレンズ３６ａと１個の第２ロッドレンズ３６ｂ、または１個の第１ロッドレンズ３６ａと２個の第２ロッドレンズ３６ｂ）の光軸が互いに近接しており、光軸の離隔に起因する収差よる結像のぼけに関しては、更にこれを低減する効果が得られる。」
　
（ウ）図２及び図８は、それぞれ次のとおりである。
【図２】
　
【図８】
　
イ　そうすると、引用文献１には、
「原稿面を照射する照明手段、前記照射された原稿面からの反射光を結像する集光手段、前記結像された光を受光して光電変換する受光手段を備え、
　前記集光手段は互いに焦点距離の異なる少なくとも２種類の焦点距離を有する複数のレンズを配置して構成され、
　
前記複数のレンズは、前記受光手段において略同一面にそれぞれの焦点が一致するように配置され
　
前記集光手段における互いに焦点距離の異なるレンズは
光軸方向に互いにずれた位置に配置され
　レンズを複数列に配列し、互いに焦点距離の異なるレンズを異なる列に配列し、隣り合うレンズ同士が互いに焦点距離が異なるレンズとなるようにレンズが配列された、密着型の画像読取装置であって
　前記照明手段は、原稿を照射する線状光源であるＬＥＤアレイであり、
　前記受光手段は、光電変換を行うセンサ画素が複数配列された原稿読取受光素子と、保護膜と、これが実装された基板とからなる成る受光素子アレイであり、
　前記集光手段は、原稿の像を受光部である前記受光素子アレイに結像するレンズアレイと、当該レンズアレイを保持する保持枠とからなり、
　前記画像読取装置は、さらに、前記原稿を載置する透明板と、これらの部材を支持する外装ケースを備え、
　前記レンズアレイは、前記ＬＥＤアレイに照射される原稿面の読み取りラインに平行な方向に、焦点距離ＴＣが互いに異なる２種類のロッドレンズすなわち第１ロッドレンズと第２ロッドレンズがそれぞれ列に分かれて２列に配列され、保持枠により保持されてなり、
　前記第１ロッドレンズ及び第２ロッドレンズは共に光軸に直交する方向に屈折率分布を持った透光材よりなっており、第１ロッドレンズの焦点距離ＴＣ１と第２ロッドレンズ３６ｂの焦点距離ＴＣ２の間にはＴＣ１＜ＴＣ２の関係があり、
　前記第１ロッドレンズの前記透明板側の焦点の位置する第１焦点面は、前記第２ロッドレンズの前記透明板側の焦点の位置する第２焦点面よりオフセット量ｄｃ＝ＴＣ２−ＴＣ１の距離だけ後方に位置し、
前記第１ロッドレンズの前記受光素子アレイ側の焦点と前記第２ロッドレンズの前記受光素子アレイ側の焦点とが共に前記センサ面に位置するように、前記第１ロッドレンズと前記第２ロッドレンズは光軸方向にも互いにずれて配置されている
　画像読取装置。」の発明（以下、「引用発明１」という。）が記載されている。
　
（２）引用文献２の記載事項
ア　引用文献２には、次の（ア）ないし（エ）の事項が記載されている。
（ア）「【００５０】（第１の実施形態）
図１は、本発明の第１の実施形態によるロッドレンズアレイを用いたイメージスキャナの一実施形態の概略構成を示す断面斜視図
本実施形態では、３種類のロッドレンズを用いてロッドレンズアレイを構成し
【００５１】
図１
において、１はロッドレンズアレイであり、２は読取り原稿であり、３はＣＣＤモノクロイメージセンサアレイであり、４は３原色ＬＥＤが順に配列された照明用のＬＥＤアレイ
【００５２】
ロッドレンズアレイ１は、異なる作動波長帯域を持ち特性の異なる３種類のロッドレンズ１１，１２，１３を、いずれもＺ方向に向けた状態でそれぞれＹ方向に多数配列して各色のロッドレンズアレイを形成し、これら３種類のロッドレンズアレイをロッドレンズが最密充填される様にＸ方向に配列し（いわゆる俵積み）、そのＹ方向の両端に端部部材１５を当てがい、これらを２枚の側板１４により挟持し、ロッドレンズの外周面の周囲に接着剤１６を充填して、固定配置して、得られ
ロッドレンズ１１は赤色に着色されており、ロッドレンズ１２は緑色に着色されており、ロッドレンズ１３は青色に着色され
【００５３】
読取り原稿２は、
搬送手段によりＸ方向に搬送される様になって
【００５４】
イメージセンサアレイ３は、多数の受光素子１７がＹ方向に配列されてなる
【００５５】
ＬＥＤアレイ４は、赤色（Ｒ）、緑色（Ｇ）及び青色（Ｂ）の３原色をそれぞれ発光する赤色（Ｒ）発光ＬＥＤ１８Ｒ、緑色（Ｇ）発光ＬＥＤ１８Ｇ及び青色（Ｂ）発光ＬＥＤ１８Ｂを多数この順に繰り返しＹ方向に配列してなる
【００５６】
カラー画像読取動作時には、ＬＥＤアレイ４のＬＥＤ１８Ｒ，１８Ｇ，１８Ｂが順次切り替え点灯され、読取り原稿２の下面で反射されたＲ光は主としてロッドレンズ１１を通過してイメージセンサアレイ３に結像せしめられＲ画像情報信号が得られ、読取り原稿２の下面で反射されたＧ光は主としてロッドレンズ１２を通過してイメージセンサアレイ３に結像せしめられＧ画像情報信号が得られ、、読取り原稿２の下面で反射されたＢ光は主としてロッドレンズ１３を通過してイメージセンサアレイ３に結像せしめられＢ画像情報信号が得られ
【００５７】
この様なロッドレンズとＬＥＤの発光スペクトルとの組み合わせに対して前記（２）式から計算される所定波長（後述の様にして各ロッドレンズに応じてそれぞれ定められる）における共役長ＴＣが、３種類のロッドレンズについて等しくなる様に、３種類のロッドレンズ１１，１２，１３の集束パラメータｇが互いに異なる値に設定され
従って、３原色の照明光により照明された読取り原稿２の読取位置の物点１９からの反射光は、各原色に対応するロッドレンズを通過することにより、モノクロイメージセンサアレイ３上において、常に同一の結像点２０に良好に結像され
これにより色収差の影響が最小限に抑制され、解像度が著しく高められ
【００５８】次に、以上の様な各発光色に対応するロッドレンズの設計手法について説明する。
【００５９】第１に、３種類のロッドレンズ１１，１２，１３に対する所定波長（λｓｉ：ｉ＝１，２，３）を設定する。該所定波長は、共役長ＴＣを決定する際の基準となる波長であり、基本的には作動波長帯域内に任意に設定することができる。一例として、各原色ＬＥＤの発光スペクトルのピーク波長（λｐｊ：ｊ＝１，２，３）に一致させることができる。即ち、
ロッドレンズ１１の所定の波長（λｓ１）は６６０ｎｍであり、ロッドレンズ１２の所定の波長（λｓ２）は５２５ｎｍであり、ロッドレンズ１３の所定の波長（λｓ３）は４５０ｎｍである
・・・（中略）・・・
【００６４】第３に、例えば
Ｇ用ロッドレンズ１２について、所定波長５２５ｎｍにおける共役長ＴＣ及びレンズ長Ｚ
0
 を定め
Ｒ用及びＢ用のロッドレンズ１１，１３については、Ｇ用ロッドレンズ１２と同一のレンズ長のもとで、各所定波長６６０ｎｍ及び４５０ｎｍでの共役長をＧ用ロッドレンズ１２の所定波長５２５ｎｍでの共役長ＴＣと同一に設定
【００６５】以上の様にして設計された
ロッドレンズ１１，１２，１３の特性値を以下の表２に示す
【００６６】
【表２】
以上の様にして得られた３種類のロッドレンズ１１，１２，１３を図１
の様に３列に配列したロッドレンズアレイ１
　
（イ）「【００７４】（第２の実施形態）
図６は、本発明の第２の実施形態によるロッドレンズアレイの部分拡大端面図
本実施形態のロッドレンズアレイは、前記図１に示されている様な構成のイメージスキャナに適用することができる
【００７５】
図６において、ロッドレンズアレイ１は、異なる作動波長帯域を持ち特性の異なる同一長さの２種類のロッドレンズ２１，２２を、いずれもＺ方向に向けた状態でそれぞれＹ方向に多数配列して各色のロッドレンズアレイを形成し、これら２種類のロッドレンズアレイをロッドレンズが最密充填される様にＸ方向に配列し（いわゆる俵積み）、これらを２枚の側板２３により挟持し、ロッドレンズの外周面の周囲に接着剤２４を充填し、固定配置して、得られ
【００７６】
ロッドレンズ２１の所定波長（λｓ１）はＲ用ＬＥＤの発光スペクトルのピーク波長（λｐ１）とＧ用ＬＥＤの発光スペクトルのピーク波長（λｐ２）とのほぼ中間の５９０ｎｍとされ
ロッドレンズ２２の所定波長（λｓ２）はＧ用ＬＥＤの発光スペクトルのピーク波長（λｐ２）とＢ用ＬＥＤの発光スペクトルのピーク波長（λｐ３）とのほぼ中間の４８０ｎｍとされ
【００７７】
ロッドレンズ２１の作動波長帯域（ＷＢ１）は、Ｒ光とＧ光とを通過させるため
Ｙ−５０の分光透過率を持つ様に設定され
ロッドレンズ２２の作動波長帯域ＷＢ２は、Ｇ光とＢ光とを通過させるため
Ｂ−４６０の分光透過率を持つ様に設定され
同様な分光透過率となる様に着色することにより各ロッドレンズを得ることができ
【００７８】
ロッドレンズ２１，２２の集束パラメータｇは、
各々の所定波長における共役長ＴＣどうしが等しくなる様に
設定され
【００７９】以上の様にして設計された
ロッドレンズ２１，２２の特性値を以下の表４に示す
【００８０】
【表４】
以上の様にして得られた２種類のロッドレンズ２１，２２を図６の様に２列に配列したロッドレンズアレイ１
　
（ウ）「【００８４】（第３の実施形態）
図１０は、本発明の第３の実施形態によるロッドレンズアレイの断面図
本実施形態のロッドレンズアレイは、前記図１に示されている様な構成のイメージスキャナに適用することができる
【００８５】
図１０
ロッドレンズアレイ１は、同等の集束パラメータｇを持つ長さの異なる２種類の無色のロッドレンズ３１，３２を、いずれもＺ方向に向けた状態でそれぞれＹ方向に多数配列して各色のロッドレンズアレイを形成し、これら２種類のロッドレンズアレイをロッドレンズが最密充填される様にＸ方向に配列し（いわゆる俵積み）、これらを２枚の側板３５により挟持し、ロッドレンズの外周面の周囲に接着剤３６を充填して接合し、ロッドレンズ３１の下端面に
Ｙ−５０フィルタ３３を接着し、ロッドレンズ３２の下端面に
Ｂ−４６０フィルタ３４を接着して、得られ
Ｚ方向長さに関するロッドレンズ３１の中心とロッドレンズ３２の中心とは同一平面上にある
【００８６】
フィルタ３３，３４付きのロッドレンズ３１，３２の所定波長及び作動波長帯域は前記第２の実施形態にて説明したものと同様
本実施形態では、ロッドレンズ３１，３２の長さＺ
01
，Ｚ
02
は、互いに異なり、各々の所定波長における共役長ＴＣどうしが等しくなる様に、設定され
【００８７】以上の様にして設計された
ロッドレンズ３１，３２の特性値を以下の表６に示す
【００８８】
【表６】
以上の様に、前記第２の実施形態では、２種類のロッドレンズの長さを同一とし且つ集束パラメータｇを各々の所定波長における共役長ＴＣどうしが等しくなる様に前記式（２）に基づき設定しているが、
本第３の実施形態では、２種類のロッドレンズの集束パラメータｇを同一とし且つ各々のレンズ長を所定波長における共役長ＴＣどうしが等しくなる様に
設定している
　
（エ）図１、図６及び図１０は、それぞれ次のとおりである。
【図１】
　
【図６】
　
【図１０】
　
イ　そうすると、引用文献２には、次の引用発明２−１ないし２−３が記載されている。
（ア）引用発明２−１（【００５０】ないし【００６６】及び図１の「第１の実施形態」についての記載に基づく発明）
「３種類のロッドレンズを用いて構成したロッドレンズアレイを用いたイメージスキャナであって、
　前記ロッドレンズアレイと、ＣＣＤモノクロイメージセンサアレイと、３原色ＬＥＤが順に配列された照明用のＬＥＤアレイを含み、
　前記ロッドレンズアレイは、異なる作動波長帯域を持ち特性の異なる３種類のロッドレンズ（第１ないし第３ロッドレンズ）を、いずれもＺ方向に向けた状態でそれぞれＹ方向に多数配列して各色のロッドレンズアレイを形成し、これら３種類のロッドレンズアレイをロッドレンズが最密充填されるように（いわゆる俵積みにして）Ｘ方向に配列し、そのＹ方向の両端に端部部材を当てがい、これらを２枚の側板により挟持し、ロッドレンズの外周面の周囲に接着剤を充填して固定配置して得られ、
　第１ロッドレンズは赤色に着色されており、第２ロッドレンズは緑色に着色されており、第３ロッドレンズは青色に着色されており、
　読取り原稿は、搬送手段によりＸ方向に搬送されるようになっており、
　前記イメージセンサアレイは、多数の受光素子がＹ方向に配列されてなり、
　前記ＬＥＤアレイは、赤色（Ｒ）、緑色（Ｇ）及び青色（Ｂ）の３原色をそれぞれ発光する赤色発光ＬＥＤ、緑色発光ＬＥＤ及び青色発光ＬＥＤを多数この順に繰り返しＹ方向に配列してなり、
　カラー画像読取動作時には、前記ＬＥＤアレイの赤色発光ＬＥＤ、緑色発光ＬＥＤ、青色発光ＬＥＤが順次切り替え点灯され、読取り原稿の下面で反射されたＲ光は主として第１ロッドレンズを通過してイメージセンサアレイに結像せしめられてＲ画像情報信号が得られ、読取り原稿の下面で反射されたＧ光は主として第２ロッドレンズを通過してイメージセンサアレイに結像せしめられＧ画像情報信号が得られ、読取り原稿の下面で反射されたＢ光は主として第３ロッドレンズを通過してイメージセンサアレイに結像せしめられＢ画像情報信号が得られ、
　各ロッドレンズと各ＬＥＤの発光スペクトルとの組み合わせに対し各ロッドレンズに応じてそれぞれ所定波長が定められ、
　第１ロッドレンズの所定波長は６６０ｎｍであり、第２ロッドレンズの所定波長は５２５ｎｍであり、第３ロッドレンズの所定波長は４５０ｎｍであり、
　前記所定波長における共役長ＴＣが、前記３種類のロッドレンズについて等しくなるように、前記３種類のロッドレンズの集束パラメータｇが互いに異なる値に設定され、
　第２ロッドレンズについて、所定波長５２５ｎｍにおける共役長ＴＣ及びレンズ長Ｚ0 をそれぞれＴＣ＝９．１０ｍｍ、Ｚ0 ＝４．２０ｍｍに定め、第１及び第３ロッドレンズについては、第２ロッドレンズと同一のレンズ長（すなわち４．２０ｍｍ）のもとで、各所定波長６６０ｎｍ及び４５０ｎｍでの共役長を第２ロッドレンズの所定波長５２５ｎｍでの共役長ＴＣと同一に（すなわち９．１０ｍｍに）設定し、
　また、第１ないし第３ロッドレンズの波長５７０ｎｍでの共役長は、それぞれ、８．７０ｍｍ、９．４２ｍｍ、１０．３４ｍｍとなり、
　これにより、
３原色の照明光（Ｒ、Ｇ、Ｂ）により照明された読取り原稿の読取位置の物点からの反射光は、各原色に対応するロッドレンズを通過することにより、モノクロイメージセンサアレイ上において、常に同一の結像点に良好に結像され
　イメージスキャナ。」
　
（イ）引用発明２−２（【００７４】ないし【００８０】及び図６の「第２の実施形態」についての記載に基づく発明）
「２種類のロッドレンズを用いて構成したロッドレンズアレイを用いたイメージスキャナであって、
　前記ロッドレンズアレイと、ＣＣＤモノクロイメージセンサアレイと、３原色ＬＥＤが順に配列された照明用のＬＥＤアレイを含み、
　前記ロッドレンズアレイは、異なる作動波長帯域を持ち特性の異なる２種類のロッドレンズ（第１及び第２ロッドレンズ）を、いずれもＺ方向に向けた状態でそれぞれＹ方向に多数配列してロッドレンズアレイを形成し、これら２種類のロッドレンズアレイをロッドレンズが最密充填されるように（いわゆる俵積みにして）Ｘ方向に配列し、そのＹ方向の両端に端部部材を当てがい、これらを２枚の側板により挟持し、ロッドレンズの外周面の周囲に接着剤を充填して固定配置して得られ、
　第１ロッドレンズは赤色（Ｒ）光と緑色（Ｇ）光とを通過させるための分光透過率となるように着色されており、第２ロッドレンズは緑色（Ｇ）光と青色（Ｂ）光とを通過させるための分光透過率となるように着色されており、
　読取り原稿は、搬送手段によりＸ方向に搬送されるようになっており、
　前記イメージセンサアレイは、多数の受光素子がＹ方向に配列されてなり、
　前記ＬＥＤアレイは、赤色（Ｒ）、緑色（Ｇ）及び青色（Ｂ）の３原色をそれぞれ発光する赤色発光ＬＥＤ、緑色発光ＬＥＤ及び青色発光ＬＥＤを多数この順に繰り返しＹ方向に配列してなり、
　カラー画像読取動作時には、前記ＬＥＤアレイの赤色発光ＬＥＤ、緑色発光ＬＥＤ、青色発光ＬＥＤが順次切り替え点灯され、読取り原稿の下面で反射されたＲ光は主として第１ロッドレンズを通過してイメージセンサアレイに結像せしめられてＲ画像情報信号が得られ、読取り原稿の下面で反射されたＧ光は第１ロッドレンズ及び第２ロッドレンズを通過してイメージセンサアレイに結像せしめられＧ画像情報信号が得られ、読取り原稿の下面で反射されたＢ光は主として第２ロッドレンズを通過してイメージセンサアレイに結像せしめられＢ画像情報信号が得られ、
　各ロッドレンズと各ＬＥＤの発光スペクトルとの組み合わせに対し各ロッドレンズに応じてそれぞれ所定波長が定められ、
　第１ロッドレンズの所定波長は５９０ｎｍであり、第２ロッドレンズの所定波長は４８０ｎｍであり、
　前記所定波長における共役長ＴＣが、前記２種類のロッドレンズについて等しくなるように、前記２種類のロッドレンズの集束パラメータｇが互いに異なる値に設定され、
　第１ロッドレンズについて、所定波長５９０ｎｍにおける共役長ＴＣ及びレンズ長Ｚ0 をそれぞれＴＣ＝９．１０ｍｍ、Ｚ0 ＝４．２０ｍｍに定め、第２ロッドレンズについては、第１ロッドレンズと同一のレンズ長（すなわち４．２０ｍｍ）のもとで、所定波長４８０ｎｍでの共役長を第２ロッドレンズの所定波長５９０ｎｍでの共役長ＴＣと同一に（すなわち９．１０ｍｍに）設定し、
　また、第１及び第２ロッドレンズの波長５７０ｎｍでの共役長は、それぞれ、８．９９ｍｍ、９．８９ｍｍとなり、
　これにより、
３原色の照明光（Ｒ、Ｇ、Ｂ）により照明された読取り原稿の読取位置の物点からの反射光は、対応するロッドレンズを通過することにより、モノクロイメージセンサアレイ上において、常に同一の結像点に良好に結像され
　イメージスキャナ。」
　
（ウ）引用発明２−３（【００８４】ないし【００８８】及び図１０の「第３の実施形態」についての記載に基づく発明）
「２種類のロッドレンズを用いて構成したロッドレンズアレイを用いたイメージスキャナであって、
　前記ロッドレンズアレイと、ＣＣＤモノクロイメージセンサアレイと、３原色ＬＥＤが順に配列された照明用のＬＥＤアレイを含み、
　前記ロッドレンズアレイは、同等の集束パラメータｇを持ち長さの異なる２種類の無色のロッドレンズ（第１及び第２ロッドレンズ）を、いずれもＺ方向に向けた状態で、Ｚ方向長さに関する第１ロッドレンズの中心と第２ロッドレンズの中心とが同一平面上にあるようにして、それぞれＹ方向に多数配列してロッドレンズアレイを形成し、これら２種類のロッドレンズアレイをロッドレンズが最密充填されるように（いわゆる俵積みにして）Ｘ方向に配列し、そのＹ方向の両端に端部部材を当てがい、これらを２枚の側板により挟持し、ロッドレンズの外周面の周囲に接着剤を充填して固定配置して得られ、
　第１ロッドレンズの下端面には赤色（Ｒ）光と緑色（Ｇ）光とを通過させるための分光透過率を有する第１フィルタが接着されており、第２ロッドレンズの下端面には緑色（Ｇ）光と青色（Ｂ）光とを通過させるための分光透過率を有する第２フィルタが接着されており、
　読取り原稿は、搬送手段によりＸ方向に搬送されるようになっており、
　前記イメージセンサアレイは、多数の受光素子がＹ方向に配列されてなり、
　前記ＬＥＤアレイは、赤色（Ｒ）、緑色（Ｇ）及び青色（Ｂ）の３原色をそれぞれ発光する赤色発光ＬＥＤ、緑色発光ＬＥＤ及び青色発光ＬＥＤを多数この順に繰り返しＹ方向に配列してなり、
　カラー画像読取動作時には、前記ＬＥＤアレイの赤色発光ＬＥＤ、緑色発光ＬＥＤ、青色発光ＬＥＤが順次切り替え点灯され、読取り原稿の下面で反射されたＲ光は主として第１ロッドレンズを通過してイメージセンサアレイに結像せしめられてＲ画像情報信号が得られ、読取り原稿の下面で反射されたＧ光は第１ロッドレンズ及び第２ロッドレンズを通過してイメージセンサアレイに結像せしめられＧ画像情報信号が得られ、読取り原稿の下面で反射されたＢ光は主として第２ロッドレンズを通過してイメージセンサアレイに結像せしめられＢ画像情報信号が得られ、
　各ロッドレンズと各ＬＥＤの発光スペクトルとの組み合わせに対し各ロッドレンズに応じてそれぞれ所定波長が定められ、
　第１ロッドレンズの所定波長は５９０ｎｍであり、第２ロッドレンズの所定波長は４８０ｎｍであり、
　前記所定波長における共役長ＴＣが、前記２種類のロッドレンズについて等しくなるように、前記２種類のロッドレンズの長さＺ01、Ｚ02は、互いに異なる値に設定され、
　第１ロッドレンズについて、所定波長５９０ｎｍにおける共役長ＴＣ及びレンズ長Ｚ0 をそれぞれＴＣ＝９．１０ｍｍ、Ｚ01＝４．２２ｍｍに定め、第２ロッドレンズについて、所定波長４８０ｎｍにおける共役長ＴＣが第１ロッドレンズの所定波長５９０ｎｍでの共役長ＴＣと同一に（すなわち９．１０ｍｍに）なるように、そのレンズ長Ｚ02を４．１０ｍｍに定め、
　また、第１及び第２ロッドレンズの波長５７０ｎｍでの共役長は、それぞれ、８．９９４ｍｍ、９．９１７ｍｍとなり、
　これにより、
３原色の照明光（Ｒ、Ｇ、Ｂ）により照明された読取り原稿の読取位置の物点からの反射光は、対応するロッドレンズを通過することにより、モノクロイメージセンサアレイ上において、常に同一の結像点に良好に結像され
　イメージスキャナ。」
　
（３）引用文献３及び４の記載事項並びに当該記載事項から把握される周知技術
　引用文献３には、ロッドレンズの受光素子側の表面に焦点位置を調整する透明平行板３１を備えることが記載されており（段落【００１５】〜【００２３】及び図４を参照。）、また、引用文献４にも同様の透明の平行板を設けることが記載されている（第３頁右上欄第７行目〜右下欄５行目及び第１図を参照。）。
　したがって、イメージセンサーのロッドレンズアレイの受光素子側の面に焦点距離を調整する手段を設けることは、本願の優先権主張の日（以下「優先日」という。）前に、周知の事項である。
　
（４）対比
　ア　本願発明と引用発明１との対比
（ア）一致点及び相違点
　引用発明１の「『照明手段』、『線状光源』である『ＬＥＤアレイ』」、「『受光手段』、『センサ画素がが複数配列された原稿読取受光素子と、保護膜と、これが実装された基板とからなる成る受光素子アレイ』」、「『集光手段』、『ロッドレンズ』の『レンズアレイ』」、「画像読取装置」及び「保持枠」は、それぞれ、本願発明の「光源」、「線形アレイ画像センサー」、「複合ロッドレンズアレイ」、「画像読取り装置」及び「『第１の側板』、『第２の側板』」に相当する。
　そうすると、本願発明と引用発明１とは、
「発光して、走査範囲内に原稿を均一に照らす光源と、原稿から反射されてきた反射光を電気信号に変換し外部に出力する線形アレイ画像センサーと、上記反射光をフォーカスして、上記線形アレイ画像センサーの表面にイメージングする複合ロッドレンズアレイと、を含む画像読取り装置であって、
　前記複合ロッドレンズアレイは、
　第１共役長さＴＣ１、第１高さＺ１及び第１直径Ф１を有する複数の第１のロッドレンズを少なくとも１つのアレイに配列することにより構成する第１のロッドレンズアレイと、
　第２共役長さＴＣ２、第２高さＺ２及び第２直径Ф２を有する複数の第２のロッドレンズを少なくとも１つのアレイに配列することにより構成する第２のロッドレンズアレイと、
　支持用の第１の側板及び支持用の第２の側板と、を含み、
　前記少なくとも１列の第１のロッドレンズアレイと前記少なくとも１列の第２のロッドレンズアレイが、支持用の上記第１の側板と支持用の上記第２の側板との間に挟まれ、
　前記第１のロッドレンズアレイの第１共役長さＴＣ１と、前記第２のロッドレンズアレイの第２共役長さＴＣ２とは一致しない、
　画像読取り装置。」である点で一致する。
　他方、本願発明と引用発明１は、次の点において相違する。
　
相違点１：
　前記「第１のロッドレンズアレイ」の焦点位置と前記「第２のロッドレンズアレイ」の焦点位置との差が、
　本願発明では、１ｍｍ以内であるのに対し、
　引用発明１では、不明である点。
　
相違点２：
　本願発明では、「ロッドレンズアレイの表面に焦点位置調節装置が配置され、前記焦点位置調節装置が、ロッドレンズアレイの表面に配置された光透過性の調節体であり、前記焦点位置調節装置は、前記ロッドレンズアレイの長手方向に全領域をカバーし、前記ロッドレンズアレイの幅方向にＴＣ値が小さいもののみをカバーし、前記焦点位置調節装置は、前記ロッドレンズアレイの線形アレイ画像センサーに近い側の、焦点位置が前記線形アレイ画像センサーの表面に達していないレンズアレイの端面に配置される」のに対し、
　引用発明１では、ロッドレンズアレイの表面に焦点位置調整装置が配置されていない点。
　
（イ）相違点２についての判断
　引用発明１では、第１ロッドレンズと第２ロッドレンズが光軸方向に互いにずれて配置されていることによって前記第１ロッドレンズの受光素子アレイ側の焦点と前記第２ロッドレンズの受光素子アレイ側の焦点とが共にセンサ面に位置するようにされているのだから、いずれかのロッドレンズの受光素子アレイ側の焦点位置が前記センサの表面に達していないということはない。したがって、引用発明１の第１ロッドレンズ又は第２ロッドレンズの受光素子アレイ側の端面に焦点位置調節装置を配置することによってセンサの表面に達していないロッドレンズの受光素子アレイ側の焦点位置をセンサの表面に達するようにする必要は何ら認められない。
　すなわち、引用発明１において、当業者が、第１ロッドレンズ又は第２ロッドレンズの受光素子アレイ側の端面に焦点位置調節装置を配置する動機づけがまったくないのであるから、例え、ロッドレンズアレイの受光素子側の面に焦点距離を調整する手段を設けることが本願の優先日前に周知の事項であったとしても、そのようにすることが当業者にとって容易であるとはいえない。
　
（ウ）小括
　したがって、相違点１について検討するまでもなく、本願発明は、当業者が引用発明１に基づいて容易に発明をすることができたとはいえない。
　
　イ　本願発明と引用発明２−１との対比
（ア）一致点及び相違点
　引用発明２−１の「照明用のＬＥＤアレイ」、「ＣＣＤモノクロイメージセンサアレイ」、「３種類のロッドレンズを用いて構成したロッドレンズレイ」、「イメージスキャナ」及び「側板」は、それぞれ、本願発明の「光源」、「線形アレイ画像センサー」、「複合ロッドレンズアレイ」、「画像読取り装置」及び「『第１の側板』、『第２の側板』」に相当する。
　また、引用発明２−１では、第１の「ロッドレンズアレイ」の焦点位置と第２の「ロッドレンズアレイ」の焦点位置との差が、波長５７０ｎｍでは１ｍｍ以内（ＴＣの差が９．４２−８．７０＝０．７２又は１０．３４−９．４２＝０．９２であり、焦点位置の差がＴＣの差よりも小さいことは明らか）であり、また、各々の所定波長では０ｍｍである。
　そうすると、本願発明と引用発明２−１とは、
「発光して、走査範囲内に原稿を均一に照らす光源と、原稿から反射されてきた反射光を電気信号に変換し外部に出力する線形アレイ画像センサーと、上記反射光をフォーカスして、上記線形アレイ画像センサーの表面にイメージングする複合ロッドレンズアレイと、を含む画像読取り装置であって、
　前記複合ロッドレンズアレイは、
　第１共役長さＴＣ１、第１高さＺ１及び第１直径Ф１を有する複数の第１のロッドレンズを少なくとも１つのアレイに配列することにより構成する第１のロッドレンズアレイと、
　第２共役長さＴＣ２、第２高さＺ２及び第２直径Ф２を有する複数の第２のロッドレンズを少なくとも１つのアレイに配列することにより構成する第２のロッドレンズアレイと、
　支持用の第１の側板及び支持用の第２の側板と、を含み、
　前記少なくとも１列の第１のロッドレンズアレイと前記少なくとも１列の第２のロッドレンズアレイが、支持用の上記第１の側板と支持用の上記第２の側板との間に挟まれ、
　前記第１のロッドレンズアレイの焦点位置と前記第２のロッドレンズアレイの焦点位置との差が１ｍｍ以内である、
　画像読取り装置。」である点で一致する。
　他方、本願発明と引用発明２−１は、次の点において相違する。
　
相違点３：
　本願発明では、「第１のロッドレンズアレイの第１共役長さＴＣ１と、第２のロッドレンズアレイの第２共役長さＴＣ２とは一致しない」のに対し、
　引用発明２−１では、波長５７０ｎｍでの第１のロッドレンズアレイの共役長と第２のロッドレンズアレイの共役長とは一致しないが、各々の所定波長での第１のロッドレンズアレイの共役長と第２のロッドレンズアレイの共役長とは一致する点。
　
相違点４：
　本願発明では、「ロッドレンズアレイの表面に焦点位置調節装置が配置され、前記焦点位置調節装置が、ロッドレンズアレイの表面に配置された光透過性の調節体であり、前記焦点位置調節装置は、前記ロッドレンズアレイの長手方向に全領域をカバーし、前記ロッドレンズアレイの幅方向にＴＣ値が小さいもののみをカバーし、前記焦点位置調節装置は、前記ロッドレンズアレイの線形アレイ画像センサーに近い側の、焦点位置が前記線形アレイ画像センサーの表面に達していないレンズアレイの端面に配置される」のに対し、
　引用発明２−１では、ロッドレンズアレイの表面に焦点位置調整装置が配置されていない点。
　
（イ）相違点４についての判断
　引用発明２−１では、第１ロッドレンズと第２ロッドレンズは、各々の作動波長帯域と集束パラメータｇが異なり、各々の所定波長の光において共役長ＴＣが共に９．１０ｍｍとなるように設定されており、それにより、３原色の照明光（Ｒ、Ｇ、Ｂ）により照明された読取り原稿の読取位置の物点からの反射光は、各原色に対応するロッドレンズを通過することにより、モノクロイメージセンサアレイ上において、常に同一の結像点に良好に結像するようにされているのだから、いずれかのロッドレンズの受光素子アレイ側の焦点位置が前記モノクロイメージセンサアレイの表面に達していないということはない。したがって、引用発明２−１の第１ロッドレンズ又は第２ロッドレンズのモノクロイメージセンサアレイ側の端面に焦点位置調節装置を配置することによってモノクロイメージセンサアレイの表面に達していないロッドレンズのモノクロイメージセンサアレイ側の焦点位置をモノクロイメージセンサの表面に達するようにする必要は何ら認められない。
　すなわち、引用発明２−１において、当業者が、第１ロッドレンズ又は第２ロッドレンズのモノクロイメージセンサアレイ側の端面に焦点位置調節装置を配置する動機づけがまったくないのであるから、例え、ロッドレンズアレイの受光素子側の面に焦点距離を調整する手段を設けることが本願の優先日前に周知の事項であったとしても、そのようにすることが当業者にとって容易であるとはいえない。
　
（ウ）小括
　したがって、相違点３について検討するまでもなく、本願発明は、当業者が引用発明２−１に基づいて容易に発明をすることができたとはいえない。
　
　ウ　本願発明と引用発明２−２との対比
（ア）一致点及び相違点
　引用発明２−２の「照明用のＬＥＤアレイ」、「ＣＣＤモノクロイメージセンサアレイ」、「２種類のロッドレンズを用いて構成したロッドレンズレイ」、「イメージスキャナ」及び「側板」は、それぞれ、本願発明の「光源」、「線形アレイ画像センサー」、「複合ロッドレンズアレイ」、「画像読取り装置」及び「『第１の側板』、『第２の側板』」に相当する。
　また、引用発明２−２では、第１の「ロッドレンズアレイ」の焦点位置と第２の「ロッドレンズアレイ」の焦点位置との差が、波長５７０ｎｍでは１ｍｍ以内（ＴＣの差が９．８９−８．９９＝０．９０であり、焦点位置の差がＴＣの差よりも小さいことは明らか）であり、また、各々の所定波長では０ｍｍである。
　そうすると、本願発明と引用発明２−２とは、
「発光して、走査範囲内に原稿を均一に照らす光源と、原稿から反射されてきた反射光を電気信号に変換し外部に出力する線形アレイ画像センサーと、上記反射光をフォーカスして、上記線形アレイ画像センサーの表面にイメージングする複合ロッドレンズアレイと、を含む画像読取り装置であって、
　前記複合ロッドレンズアレイは、
　第１共役長さＴＣ１、第１高さＺ１及び第１直径Ф１を有する複数の第１のロッドレンズを少なくとも１つのアレイに配列することにより構成する第１のロッドレンズアレイと、
　第２共役長さＴＣ２、第２高さＺ２及び第２直径Ф２を有する複数の第２のロッドレンズを少なくとも１つのアレイに配列することにより構成する第２のロッドレンズアレイと、
　支持用の第１の側板及び支持用の第２の側板と、を含み、
　前記少なくとも１列の第１のロッドレンズアレイと前記少なくとも１列の第２のロッドレンズアレイが、支持用の上記第１の側板と支持用の上記第２の側板との間に挟まれ、
　前記第１のロッドレンズアレイの焦点位置と前記第２のロッドレンズアレイの焦点位置との差が１ｍｍ以内である、
　画像読取り装置。」である点で一致する。
　他方、本願発明と引用発明２−２は、次の点において相違する。
　
相違点５：
　本願発明では、「第１のロッドレンズアレイの第１共役長さＴＣ１と、第２のロッドレンズアレイの第２共役長さＴＣ２とは一致しない」のに対し、
　引用発明２−２では、波長５７０ｎｍでの第１のロッドレンズアレイの共役長と第２のロッドレンズアレイの共役長とは一致しないが、各々の所定波長での第１のロッドレンズアレイの共役長と第２のロッドレンズアレイの共役長とは一致する点。
　
相違点６：
　本願発明では、「ロッドレンズアレイの表面に焦点位置調節装置が配置され、前記焦点位置調節装置が、ロッドレンズアレイの表面に配置された光透過性の調節体であり、前記焦点位置調節装置は、前記ロッドレンズアレイの長手方向に全領域をカバーし、前記ロッドレンズアレイの幅方向にＴＣ値が小さいもののみをカバーし、前記焦点位置調節装置は、前記ロッドレンズアレイの線形アレイ画像センサーに近い側の、焦点位置が前記線形アレイ画像センサーの表面に達していないレンズアレイの端面に配置される」のに対し、
　引用発明２−２では、ロッドレンズアレイの表面に焦点位置調整装置が配置されていない点。
　
（イ）相違点６についての判断
　引用発明２−２では、第１ロッドレンズと第２ロッドレンズは、各々の作動波長帯域と集束パラメータｇが異なり、各々の所定波長の光において共役長ＴＣが共に９．１０ｍｍとなるように設定されており、それにより、３原色の照明光（Ｒ、Ｇ、Ｂ）により照明された読取り原稿の読取位置の物点からの反射光は、各原色に対応するロッドレンズを通過することにより、モノクロイメージセンサアレイ上において、常に同一の結像点に良好に結像するようにされているのだから、いずれかのロッドレンズの受光素子アレイ側の焦点位置が前記モノクロイメージセンサアレイの表面に達していないということはない。したがって、引用発明２−２の第１ロッドレンズ又は第２ロッドレンズのモノクロイメージセンサアレイ側の端面に焦点位置調節装置を配置することによってモノクロイメージセンサアレイの表面に達していないロッドレンズのモノクロイメージセンサアレイ側の焦点位置をモノクロイメージセンサの表面に達するようにする必要は何ら認められない。
　すなわち、引用発明２−２において、当業者が、第１ロッドレンズ又は第２ロッドレンズのモノクロイメージセンサアレイ側の端面に焦点位置調節装置を配置する動機づけがまったくないのであるから、例え、ロッドレンズアレイの受光素子側の面に焦点距離を調整する手段を設けることが本願の優先日前に周知の事項であったとしても、そのようにすることが当業者にとって容易であるとはいえない。
　
（ウ）小括
　したがって、相違点５について検討するまでもなく、本願発明は、当業者が引用発明２−２に基づいて容易に発明をすることができたとはいえない。
　
　エ　本願発明と引用発明２−３との対比
（ア）一致点及び相違点
　引用発明２−３の「照明用のＬＥＤアレイ」、「ＣＣＤモノクロイメージセンサアレイ」、「２種類のロッドレンズを用いて構成したロッドレンズレイ」、「イメージスキャナ」及び「側板」は、それぞれ、本願発明の「光源」、「線形アレイ画像センサー」、「複合ロッドレンズアレイ」、「画像読取り装置」及び「『第１の側板』、『第２の側板』」に相当する。
　また、引用発明２−３では、第１の「ロッドレンズアレイ」の焦点位置と第２の「ロッドレンズアレイ」の焦点位置との差が、波長５７０ｎｍでは１ｍｍ以内（ＴＣの差が９．９１７−８．９９４＝０．９２３であり、焦点位置の差がＴＣの差よりも小さいことは明らか）であり、また、各々の所定波長では０ｍｍである。
　そうすると、本願発明と引用発明２−３とは、
「発光して、走査範囲内に原稿を均一に照らす光源と、原稿から反射されてきた反射光を電気信号に変換し外部に出力する線形アレイ画像センサーと、上記反射光をフォーカスして、上記線形アレイ画像センサーの表面にイメージングする複合ロッドレンズアレイと、を含む画像読取り装置であって、
　前記複合ロッドレンズアレイは、
　第１共役長さＴＣ１、第１高さＺ１及び第１直径Ф１を有する複数の第１のロッドレンズを少なくとも１つのアレイに配列することにより構成する第１のロッドレンズアレイと、
　第２共役長さＴＣ２、第２高さＺ２及び第２直径Ф２を有する複数の第２のロッドレンズを少なくとも１つのアレイに配列することにより構成する第２のロッドレンズアレイと、
　支持用の第１の側板及び支持用の第２の側板と、を含み、
　前記少なくとも１列の第１のロッドレンズアレイと前記少なくとも１列の第２のロッドレンズアレイが、支持用の上記第１の側板と支持用の上記第２の側板との間に挟まれ、
　前記第１のロッドレンズアレイの焦点位置と前記第２のロッドレンズアレイの焦点位置との差が１ｍｍ以内である、
　画像読取り装置。」である点で一致する。
　他方、本願発明と引用発明２−３は、次の点において相違する。
　
相違点７：
　本願発明では、「第１のロッドレンズアレイの第１共役長さＴＣ１と、第２のロッドレンズアレイの第２共役長さＴＣ２とは一致しない」のに対し、
　引用発明２−３では、波長５７０ｎｍでの第１のロッドレンズアレイの共役長と第２のロッドレンズアレイの共役長とは一致しないが、各々の所定波長での第１のロッドレンズアレイの共役長と第２のロッドレンズアレイの共役長とは一致する点。
　
相違点８：
　本願発明では、「ロッドレンズアレイの表面に焦点位置調節装置が配置され、前記焦点位置調節装置が、ロッドレンズアレイの表面に配置された光透過性の調節体であり、前記焦点位置調節装置は、前記ロッドレンズアレイの長手方向に全領域をカバーし、前記ロッドレンズアレイの幅方向にＴＣ値が小さいもののみをカバーし、前記焦点位置調節装置は、前記ロッドレンズアレイの線形アレイ画像センサーに近い側の、焦点位置が前記線形アレイ画像センサーの表面に達していないレンズアレイの端面に配置される」のに対し、
　引用発明２−３では、ロッドレンズアレイの表面に焦点位置調整装置が配置されていない点。
　
（イ）相違点８についての判断
　引用発明２−３では、第１ロッドレンズと第２ロッドレンズは、同等の集束パラメータｇを持つが、各々の所定波長の光において共役長ＴＣが共に９．１０ｍｍとなるように各々のロッドレンズ長さが互いに異なる値に設定されるとともに、Ｚ方向長さに関する第１ロッドレンズの中心と第２ロッドレンズの中心とが同一平面上にあるようにされており、それにより、３原色の照明光（Ｒ、Ｇ、Ｂ）により照明された読取り原稿の読取位置の物点からの反射光は、各原色に対応するロッドレンズを通過することにより、モノクロイメージセンサアレイ上において、常に同一の結像点に良好に結像するようにされているのだから、いずれかのロッドレンズの受光素子アレイ側の焦点位置が前記モノクロイメージセンサアレイの表面に達していないということはない。したがって、引用発明２−３の第１ロッドレンズ又は第２ロッドレンズのモノクロイメージセンサアレイ側の端面に焦点位置調節装置を配置することによってモノクロイメージセンサアレイの表面に達していないロッドレンズのモノクロイメージセンサアレイ側の焦点位置をモノクロイメージセンサの表面に達するようにする必要は何ら認められない。
　すなわち、引用発明２−３において、当業者が、第１ロッドレンズ又は第２ロッドレンズのモノクロイメージセンサアレイ側の端面に焦点位置調節装置を配置する動機づけがまったくないのであるから、例え、ロッドレンズアレイの受光素子側の面に焦点距離を調整する手段を設けることが本願の優先日前に周知の事項であったとしても、そのようにすることが当業者にとって容易であるとはいえない。
　
（ウ）小括
　したがって、相違点７について検討するまでもなく、本願発明は、当業者が引用発明２−３に基づいて容易に発明をすることができたとはいえない。
　
（５）まとめ
　したがって、本願発明は、当業者が引用発明１、引用発明２−１、引用発明２−２又は引用発明２−３に基づいて容易に発明をすることができたとはいえない。
　本願の請求項２ないし６に係る発明は、本願発明をさらに限定したものであるので、本願発明と同様に、当業者が引用発明１、引用発明２−１、引用発明２−２又は引用発明２−３に基づいて容易に発明をすることができたとはいえない。
　よって、原査定の理由によっては、本願を拒絶することはできない。
　
第４　当審拒絶理由について
１．当審拒絶理由の概要
【理由１】本件出願は、特許請求の範囲の記載が下記の点で特許法第３６条第６項第１号に規定する要件を満たしていない。
　
　　　　　　　　　　　　　　　　　記
　
　本願明細書の発明の詳細な説明には、焦点位置調節装置８が、（ｉ）複合ロッドレンズアレイを構成するレンズアレイ２０１とレンズアレイ２０２のうち、レンズアレイ２０１の光電変換センサー３に近い側（画像面側）の表面に取り付けられたこと（【００４４】、【００４９】、図１５）、（ｉｉ）焦点位置調節装置８が取り付けられる前には、レンズアレイ２０１の画像面が光電変換センサー３の表面より約０．５ｍｍ上の位置にあったものが、取り付けられた後には、レンズアレイ２０１の焦点位置（画像面）が遠い方へドリフトされ、ほとんど光電変換センサー３の表面に移るようになったこと（【００４９】）、及び、（ｉｉｉ）焦点位置調節装置８が、ロッドレンズアレイ２０１の画像面に加え、さらにロッドレンズアレイ２０２の対物面側の表面にも取り付けられたこと（【００５０】、図１８）が記載されているものの、当該焦点位置調節装置８が、レンズアレイ２０１の原稿１０に近い側（対物面側）の表面のみに取り付けられることや、そのように取り付けられた場合に奏する作用・効果については、何ら記載されていないといわざるを得ない。 
　ところが、本願の請求項１には、焦点位置調節装置がロッドレンズアレイの「表面」に配置されること、及び、前記焦点位置調節装置が、前記ロッドレンズアレイの幅方向にＴＣ値が小さいもののみをカバーすることしか特定されていないから、当該「表面」が、ロッドレンズアレイのＴＣ値が小さいもの（実施例ではロッドレンズアレイ２０１）の対物面側の表面のみであってもよいこととなる。そうすると、請求項１における、ロッドレンズアレイへの焦点位置調節装置の配置についての記載は、発明の詳細な説明に記載された技術的範囲を超えて拡張ないしは一般化されているといわざるを得ない。
　また、本願の請求項８には、焦点位置調節装置がロッドレンズアレイの「原稿に近い側のレンズアレイの表面」に配置されることが特定されており、しかも、請求項８は請求項１に従属しているから、前記焦点位置調節装置は、前記ロッドレンズアレイの幅方向にＴＣ値が小さいもの（実施例ではロッドレンズアレイ２０１）のみをカバーすることも特定されていることとなる。そうすると、請求項８における、ロッドレンズアレイへの焦点位置調節装置の配置についての記載は、当該焦点位置調節装置が、前記ロッドレンズアレイのうちＴＣ値が小さいものの原稿に近い側（対物面側）の表面に取り付けられることを特定していることとなり、発明の詳細な説明に記載された技術的範囲を超えて拡張ないしは一般化されているといわざるを得ない。
　上記のとおりであるから、本願の請求項１及び請求項８に係る発明は発明の詳細な説明に記載したものでない。
　また、本願の請求項２ないし６は、請求項１の記載を引用して記載されているから、請求項２ないし６に係る発明もまた、発明の詳細な説明に記載したものでない。
　
【理由２】本件出願は、特許請求の範囲の記載が下記の点で特許法第３６条第６項第２号に規定する要件を満たしていない。
　
　　　　　　　　　　　　　　　　　記
　
　本願の請求項１には、画像読取り装置が含む「複合ロッドレンズアレイ」が、「第１のロッドレンズアレイ」及び「第２のロッドレンズアレイ」とどのような関係にあるのかが何も記載されておらず、このため、画像読取り装置の構成が不明りょうなものとなっている。
　上記のとおりであるから、本願の請求項１に係る発明は明確でない。
　また、本願の請求項２ないし８は、請求項１の記載を引用して記載されているから、請求項２ないし８に係る発明もまた明確でない。
　
【理由３】本件出願は、発明の詳細な説明の記載が下記の点で特許法第３６条第４項第１号に規定する要件を満たしていない。
　
　　　　　　　　　　　　　　　　　記
　
　本願の請求項６には、光透過性調節体の厚さがＮ１（Ｎ１は隣り合って配列する同一レンズアレイの列数）＊Ф１より小さいことが特定されているが、発明の詳細な説明には、光透過性調節体の厚さがＮ１（Ｎ１は隣り合って配列する同一レンズアレイの列数）＊Ф１より小さいことがどのような技術上の意義を有するかについて、どこにも記載されていない。
　上記のことからみて、本願の発明の詳細な説明の記載は、特許法第３６条第４項第１号の経済産業省令（特許法施行規則第２４条の２）に定めるところにより記載したものでない。
　
２．当審拒絶理由についての当審の判断
（１）平成２８年５月２０日になされた手続補正
　平成２８年５月２０日になされた手続補正（以下「本件補正」という。）は、本願の特許請求の範囲を次のアないしウのように補正するものである。
ア　本件補正前の請求項７に記載の発明特定事項である「前記焦点位置調節装置は、前記ロッドレンズアレイの線形アレイ画像センサーに近い側の、焦点位置が前記線形アレイ画像センサーの表面に達していないレンズアレイの端面に配置される」を請求項１に繰り入れ記載し、本件補正前の請求項７を削除すると共に、本件補正前の請求項８（本件補正後の請求項６）の「前記焦点位置調節装置が前記ロッドレンズアレイの原稿に近い側のレンズアレイの表面に配置され」を、「前記ロッドレンズアレイの原稿に近い側のレンズアレイの表面にも前記ロッドレンズアレイの幅方向にＴＣ値が大きいもののみをカバーするように前記焦点位置調節装置を配置し」と補正。
イ　本件補正前の請求項１の「・・・を含む画像読取装置であって、」の後に「前記複合ロッドレンズアレイは、」を挿入するとともに、本件補正前の請求項１の「・・・第２の側板を含み」を「・・・第２の側板と、を含み」とすることにより、「複合ロッドレンズアレイ」が「第１のロッドレンズアレイ」及び「第２のロッドレンズアレイ」を含むことを明確にする補正。
ウ　本件補正前の請求項６を削除する補正。
　
（２）理由１についての判断
　上記（１）アの補正により、本件補正後の請求項１に係る発明において、「焦点位置調節装置」が「ロッドレンズアレイの線形アレイ画像センサーに近い側の、焦点位置が前記線形アレイ画像センサーの表面に達していないレンズアレイの端面に配置される」ことが特定されたため、当該請求項１における、ロッドレンズアレイへの焦点位置調節装置の配置についての記載は、発明の詳細な説明に記載された技術的範囲を超えて拡張ないしは一般化されているとは、もはやいえなくなった。
　また、上記（１）アの補正により、本件補正後の請求項６（本件補正前の請求項８）に係る発明において、「前記ロッドレンズアレイの原稿に近い側のレンズアレイの表面にも前記ロッドレンズアレイの幅方向にＴＣ値が大きいもののみをカバーするように前記焦点位置調節装置を配置」することが特定されたため、当該請求項６における、ロッドレンズアレイへの焦点位置調節装置の配置についての記載が、発明の詳細な説明に記載された技術的範囲を超えて拡張ないしは一般化されているとは、もはやいえなくなった。
　
（２）理由２についての判断
　上記（１）イの補正により、本件補正後の請求項１に係る発明において、「複合ロッドレンズアレイ」が「第１のロッドレンズアレイ」及び「第２のロッドレンズアレイ」を含むことが明確になっため、当該請求項１に係る発明が明確でないとは、もはやいえなくなった。
　
（３）理由３についての判断
　上記（１）ウの補正により、本件補正前の請求項６が削除されたため、本願明細書の発明の詳細な説明に、本件補正前の請求項６に特定されていた、光透過性調節体の厚さがＮ１（Ｎ１は隣り合って配列する同一レンズアレイの列数）＊Ф１より小さいことがどのような技術上の意義を有するかについて何ら記載されていないという不備は、もはや存在しないものとなった。
　
（４）小括
　したがって、本願の請求項１ないし６に係る発明が発明の詳細な説明に記載したものでないとはいえなくなった。
　また、本願の請求項１ないし６に係る発明が明確でないとはいえなくなった。
　さらに、本願の発明の詳細な説明の記載が、特許法第３６条第４項第１号の経済産業省令（特許法施行規則第２４条の２）に定めるところにより記載したものでないとはいえなくなった。
　そうすると、もはや、当審で通知した拒絶理由によって本願を拒絶することはできない。
　
第５　むすび
　以上のとおり、原査定の理由によっては、本願を拒絶することはできない。
　また、他に本願を拒絶すべき理由を発見しない。
　よって、結論のとおり審決する。